(57)【要約】【課題】透明な樹脂でケースを形成しても、有機色素が塗布された情報記録面のデータ破壊を防止する。【解決手段】情報記録ディスク１００の有機色素が塗布された情報記録面１０２を覆う第１ケース体２と、この第１ケース体２との間に情報記録ディスク１００を収納すべく前記情報記録面の反対面を覆う第２ケース体とを有する。前記第１ケース体２及び第２ケース体は共に透明な材料によって形成され、前記第１ケース体２の内面２ｂ及び／又は外面２ｃには、前記情報記録ディスク１００の有機色素が塗布された情報記録面１０２に当たる光を実質的に減少させるための微細な凹凸が形成されている。【選択図】図３
2008260583.tif 000002
【特許請求の範囲】
【請求項１】
情報記録ディスク（１００）の有機色素が塗布された情報記録面（１０２）を覆う第１ケース体（２）と、この第１ケース体（２）との間に情報記録ディスク（１００）を収納すべく前記情報記録面の反対面を覆う第２ケース体（３）とを有しており、
前記第１ケース体（２）及び第２ケース体（３）は共に透明な材料によって形成され、
前記第１ケース体（２）の内面（２ｂ）及び／又は外面（２ｃ）には、前記情報記録ディスク（１００）の有機色素が塗布された情報記録面（１０２）に当たる光を実質的に減少させるための微細な凹凸が形成されていることを特徴とする情報記録ディスクの収納ケース。
【請求項２】
情報記録ディスク（１００）の有機色素が塗布された情報記録面（１０２）を覆う第１ケース体（２）と、この第１ケース体（２）との間に情報記録ディスク（１００）を収納すべく前記情報記録面の反対面を覆う第２ケース体（３）とを有しており、
前記第１ケース体（２）及び第２ケース体（３）は共に透明な材料によって形成され、
前記第１ケース体（２）は内面（２ｂ）に情報記録ディスク（１００）の中央孔（１０１）に嵌る保持部（５）が設けられ、
前記第１ケース体（２）の外面（２ｃ）は、前記保持部（５）の部分を除いて平坦面に形成され、かつ前記情報記録ディスク（１００）の有機色素が塗布された情報記録面（１０２）に当たる光を実質的に減少させるための微細な凹凸が形成されていることを特徴とする情報記録ディスクの収納ケース。
【請求項３】
前記第１ケース体（２）及び第２ケース体（３）は共に有色透明材料によって形成されていることを特徴とする請求項１又は２に記載の情報記録ディスクの収納ケース。
【請求項４】
前記凹凸は、第１ケース体（２）を成形するための成形型に形成された凹凸が転写されたものであることを特徴とする請求項１〜３のいずれか１項に記載の情報記録ディスクの収納ケース。
【発明の詳細な説明】
【技術分野】
【０００１】
本発明は、ＣＤ−Ｒ等の情報記録ディスクの収納ケースに関するものである。
【背景技術】
【０００２】
ＣＤ（コンパクトディスク）を収納するケースとしては、ＣＤの中央孔と嵌合するＣＤ保持部を有するプラスチック製の底体に、プラスチック製のカバー体をヒンジ部を介して開閉自在に連結したものが知られている。
また、このようなケースには、次の２つのタイプが存在している。第１のタイプは、底体とカバー体がともに透明のプラスチックで形成されたものである（従来技術１）。
第２のタイプは、底体が不透明のプラスチックで形成され、カバー体が透明のプラスチックで形成されたものである（従来技術２）。
【０００３】
これらのケースに収納されるＣＤは、従来、ＣＤ−ＤＡ（音楽用ＣＤ：単にＣＤともいう）やＣＤ−ＲＯＭ（ＣＤを利用した読み出し専用記憶装置）が多かったが、近年普及し始めたＣＤ−Ｒ（CD recordable：データを書き込み可能なＣＤ）も多くなっている。
ＣＤは、ディスクの情報記録面（裏面）に形成された小さな凹凸（ピット）にレーザ光線を当ててデータを読み取るものであるが、このピットは、ＣＤ−ＤＡやＣＤ−ＲＯＭの場合には、プレス成形によって予め形成されており、ユーザがデータを書き換えることはできない。
【０００４】
一方、ＣＤ−Ｒは、記録面に有機色素が塗布され、ユーザがＣＤ−Ｒドライブを用いて記録面にレーザ光線を当ててピットを刻むことで、データを書き込むものである。
このようにレーザ光線を用いてデータの記録が行われるＣＤ−Ｒにおいては、記録面にはできるだけ不必要な光が当たらないほうが良い。すなわち、記録面にＵＶ等の光が当たると記録面の色素が悪影響を受け、データ破壊が生じるおそれがある。
【発明の開示】
【発明が解決しようとする課題】
【０００５】
ここで、従来技術１の収納ケース（底体とカバー体がともに透明プラスチック）では、ケースが透明であるから記録面に当たる光を遮ることはできず、ＣＤ−Ｒにとって好適な保存環境とはいえない。
一方、従来技術２の収納ケース（底体が不透明プラスチック、カバー体が透明プラスチック）では、記録面が不透明の底体で覆われるように、ＣＤ−Ｒを収納すれば、保管時に不必要な光が記録面に当たることを防止できるが、従来技術２のような収納ケースは従来技術１に比べて製造コストが高いという問題がある。
【０００６】
つまり、底体は不透明でも、カバー体は、中のＣＤが見えるように透明にしておく必要があり、底体（不透明）とカバー体（透明）とは別の材料で成形する必要がある。これには、不透明の底体を成形する成形機と、透明なカバー体を成形する成形機とをそれぞれ用意して製造するか、２色成形機を用いて１つの成形機で底体とカバー体を成形することが考えられる。
しかし、底体とカバー体が共に透明である従来技術１の収納ケースであれば、２色成型機でない成形機１つで底体もカバー体を形成できるのに、２台の成形機を使用したり、より高価な２色成型機を使用すれば、コストは必然的に高くなり、手間もかかる。また２色成形機では高速化もできない。
【０００７】
本発明はこのような課題を解決するためになされたものであって、従来技術１のような透明な材料であってもＣＤに代表される記録ディスクにとって良好な環境が得られる収納ケースを提供することを目的とする。
【課題を解決するための手段】
【０００８】
この目的のため以下の技術的手段を採用した。
すなわち、本発明は、情報記録ディスク１００の有機色素が塗布された情報記録面１０２を覆う第１ケース体２と、この第１ケース体２との間に情報記録ディスク１００を収納すべく前記情報記録面の反対面を覆う第２ケース体３とを有しており、
前記第１ケース体２及び第２ケース体３は共に透明な材料によって形成され、
前記第１ケース体２の内面２ｂ及び／又は外面２ｃには、前記情報記録ディスク１００の有機色素が塗布された情報記録面１０２に当たる光を実質的に減少させるための微細な凹凸が形成されていることを特徴とする。
【０００９】
また、情報記録ディスク１００の有機色素が塗布された情報記録面１０２を覆う第１ケース体２と、この第１ケース体２との間に情報記録ディスク１００を収納すべく前記情報記録面の反対面を覆う第２ケース体３とを有しており、
前記第１ケース体２及び第２ケース体３は共に透明な材料によって形成され、
前記第１ケース体２は内面２ｂに情報記録ディスク１００の中央孔１０１に嵌る保持部５が設けられ、
前記第１ケース体２の外面２ｃは、前記保持部５の部分を除いて平坦面に形成され、かつ前記情報記録ディスク１００の有機色素が塗布された情報記録面１０２に当たる光を実質的に減少させるための微細な凹凸が形成されていることを特徴とする。
【００１０】
この構成によれば、透明な第２ケース体からは中の情報記録ディスク等が見える一方、光を実質的に減少させるための凹凸が形成されている第１ケース体は光があまり透過しない。したがって、情報記録ディスクの有機色素が塗布された情報記録面に当たる光を実質的に減少でき、記録面には光があまり当たらず、情報記録ディスクにとって良好な保存環境が得られる。
しかも、第１ケース体も第２ケース体も共に透明な材料で形成されているので、製造コストは従来技術１と同程度ですむ。
【００１１】
また、前記凹凸は、第１ケース体の外面側に形成されているのが好適である。内面側は情報記録ディスクと対向するため情報記録ディスクやその他必要なものを収納するために突起や窪みが形成されている場合が多く凹凸を形成するのが困難な場合もあるが、比較的フラットな外側面であれば凹凸を形成するのも容易である。
また、前記凹凸は、第１ケース体のうち、少なくとも情報記録面をカバーする範囲に形成されていれば足りるが、第１ケース体の内面又は外面のほぼ全面にわたって形成されているのが好ましい。
【００１２】
この場合、第１ケース体全面でケース内部に入り込む光を減少させることができ、内部の記録ディスクにとってより好適な環境が得られる。
また、前記凹凸は、第１ケース体を成形するための成形型に形成された凹凸が転写されたものであるのが好適である。
さらに、前記第１ケース体及び第２ケース体は共に有色透明材料によって形成されているのが好適である。この場合、有色透明であっても第２ケース体側から中の記録ディスク等を見るのにはほとんど問題はなく、第１ケース体にとっては有色透明であることによる光の透過率の減少と先の凹凸による光の減少の相乗効果が得られる。
【００１３】
なお、ＣＤ等の記録ディスクは中央孔を有し、収納ケースはその中央孔に嵌合する保持部を備えているのが一般的であるが、保持部を設ける場合には、第１ケース体と第２ケース体のいずれでもよい。
【発明の効果】
【００１４】
以上、本発明によれば、透明な樹脂でケースを形成しても、記録ディスクの情報記録面を覆う第１ケース体は凹凸が形成され透過する光が減少しているので、有機色素が塗布された情報記録面のデータ破壊が防止される。
【発明を実施するための最良の形態】
【００１５】
以下、本発明の実施形態を図面に基づいて説明する。
図１及び図２に示すように、本発明に係る収納ケース１は、第１ケース体である底体（ＣＤの保持板）２と、第２ケース体であるカバー体３とが、それぞれの一端側に設けられたヒンジ部２ａ，３ａを介して互いに揺動開閉自在に連結されたもので、これら底体（第１ケース体）２とカバー体（第２ケース体）３とによって、ＣＤ（情報記録ディスク）１００の両面を覆う収納状態とできるようになっている。
底体２には、その板面の略中央部に、ＣＤ１００の中央孔１０１に嵌まる保持部５が設けられている。また、底体２には、前記保持部５を囲むリング形状となって隆起した中央載置部６と、更にこの中央載置部６の外側を囲むリング形状となって隆起した外周載置部７とが設けられている。
【００１６】
これら中央及び外周載置部６，７は、図３に示すように、ＣＤ１００の情報記録面１０２側に対し、その記録領域（図示は省略するが、ＣＤ１００の中心付近及び外周付近を除いたドーナツ状の領域となっている）を除く部分に当接可能となる。
前記保持部５は、底体２の中央部に設けられた孔の内周面から延出する基部１０と、該基部１０の内端部から軸方向に立ち上がった立ち上がり部１１と、該立ち上がり部１１から周方向一方に同心円状に延出する拡大部１２と、該拡大部１２の端部から径外方向に突出する突起１３とを具備している。そして、前記突起１３先端の包絡円の直径は、前記ＣＤ１００の中央孔１０１の直径よりも大きくされ、前記拡大部１２の外径は、前記ＣＤ１００の中央孔１０１に嵌合し得る大きさとされている。
【００１７】
また、前記拡大部１２の端部には、径内方向に延出する押動部１４が設けられている。この押動部１４を上から押さえて押圧力を加えると、ＣＤ１００と保持部５の嵌合が解除され、ＣＤ１００を取り出すことができる。
なお、保持部５の構造はこれに限定されない。
前記底体２は、ヒンジ部２ａを有するヒンジ結合端縁部と、該ヒンジ結合側縁部とは反対側の自由端縁部と、これら両端縁部を介して対向する上下端縁部を有する矩形状に形成されている。
【００１８】
前記底体２は、前記ＣＤ１００の記録面１０２に対面する内面２ｂと、該内面２ｂとは反対側の外面２ｃとを有し、前記外面２ｃは、前記保持部５の部分を除いて平坦面に形成されている。
前記底体２内面の周縁部には、所定厚みの周壁２２が突出成形されている。また、前記底体２内面には、ＣＤ１００の外周面を囲う部分に、所定厚みの円弧状壁２３が突出形成されている。これらの周壁２２や円弧状壁２３は底体２の補強部材としての作用を発揮し、底体２の厚みを薄くしている。
【００１９】
前記ヒンジ部２ａは、ヒンジ結合側端縁部の上下端部から突出成形されたヒンジ片と、該ヒンジ片の対向内面に突出成形されたヒンジ軸３１とから構成されている。
前記カバー体３は、その一端部においてヒンジ結合されるヒンジ結合端縁部と、該ヒンジ結合端縁部とは反対側の自由端縁部と、これら両端縁部を介して対向する上下端縁部とを有する矩形状に形成されている。
カバー体３のヒンジ結合端縁部の上下端縁部は、前記底体２のヒンジ部２ａを受け入れる凹部が形成され、該凹部にカバー体３のヒンジ部３ａが形成されている。カバー体３のヒンジ部３ａは、軸受部として形成され、軸受部は、前記底体２のヒンジ部２ａのヒンジ軸３１を係脱自在に係合して、かつ、回動自在に枢支するものである。なお、カバー体の上下端縁部には、ケースの厚み方向に立ち上がる周壁３８が設けられている。
【００２０】
前記底体２とカバー体３とは、プラスチック形成機によって成形される。成型機の成形金型には底体２とカバー体３を成形するためのキャビティがそれぞれ形成され、同一金型で底体２とカバー体３とを成形することができる。
成形材料は、透明なプラスチック材料が用いられ、底体２とカバー体３とが同一材料で成形される。ここで成形材料は、無色透明材料でもよいが、ここでは有色透明材料が採用されている。更に詳しく説明すると、成形材料は黒色のかかった透明色であり、言い替えればスモークのかかった透明色である。
【００２１】
底体２の外面を形成するための金型の面には、凹凸が形成されている。これは、微細な凹凸であり、金型の面にいわゆる「シボ加工」を施して面を粗くしたものである。シボ加工は、金型の該当する面にサンドブラスト処理を施して凹凸を形成したり、金型の該当する面にエッチング処理を施して凹凸を形成したりすることで行われる。
このような成形機によれば、透明なカバー体３と、透明な材料であるが凹凸（シボ）の転写された底体２とが得られる。これらのカバー体３と底体２とは取出機等によって成形機から取り出され、組立機によってカバー体３と底体２とか組み立てられ収納ケース１が完成する。
【００２２】
完成したケース１には、底体２側にＣＤ１００の記録面１０２が対向するようにＣＤ１００が格納される。ここで、カバー体３は透明であるので、ＣＤ１００の表面やカバー体３の内面に取り付けられたラベルなどのケース内の物はケース外から見ることができる。
一方、底体２の外面２ｃには凹凸（シボ）が形成されているので、成形材料が透明であっても、カバー体３に比べて光の透過性が低下しており、底体２側からケース内部に入る光を減少させている。この凹凸は、保持部５の裏側の除く底体外面２ｃの略全面に形成されている。すなわち、図３でいえば、矢印Ｂで示される図右側の領域である。
【００２３】
この凹凸は、すりガラスに見られるような非常に微細な凹凸として形成するのが好ましい。また、微細さを高めれば不透明に近づけることができるが、特に、すりガラス程度まである必要はなく、もっと粗い凹凸であってもよい。すなわち、底体２を光透過性が実質的に低下する程度の凹凸が形成されていればよい。
また、成形材料が有色透明であることから、底体２のみならずカバー体３においても、光の透過率が無色透明のものに比べて低下しており、ケース内部への光の進入が一層低減される。このためには、成形材料は、スモークのかかった透明色が特に好ましい。
【００２４】
また、成形材料を有色透明にすれば、ケース全体で光の透過率を低減する効果を発揮する一方、透明である以上、カバー体３側からケース内部のラベル等を目で見るのにはさほど影響がない。その上、底体２側では、凹凸と有色透明であることによる透過率の低減の相乗効果が得られる。
このため、この収納ケースは、特にＣＤ−Ｒにとって好適な保管環境を与える。ただし、ＣＤ−ＲＯＭやＣＤ以外の他の記録ディスクも当然収納できる。
なお、本発明は、上記実施形態に限定されるものではない。例えば、光を減少させるための凹凸は、底体（第１ケース体）の内面と外面の双方に形成してもよいし、内面だけに形成してもよい。ただし、内面は、保持部５、載置部６，７、周壁２２、円弧状壁２３などが形成され、凹凸加工が困難な場合があるので、略平坦な外面に凹凸を形成すれば容易である。
【００２５】
なお、上記実施形態では、底体２成形時に凹凸を形成したが、成形後の加工（例えば、エッチング加工等）により形成してもよい。
また、底体２とカバー体３とはヒンジ部により連結されている必要はなく、底体２に対してカバー体３がスライド移動して開閉自在となるものであってもよい。
【図面の簡単な説明】
【００２６】
【図１】収納ケースの展開状態を示す正面図である。
【図２】収納ケースの概略斜視図である。
【図３】図１のＡ線断面図である。
【符号の説明】
【００２７】
１      収納ケース
２      底体（第１ケース体）
２ｂ    底体の内面
２ｃ    底体の外面
３      カバー体（第２ケース体）
【図１】
2008260583.tif 000003
【図２】
2008260583.tif 000004
【図３】
2008260583.tif 000005